(57)【特許請求の範囲】
【請求項１】
第１端末と、個々に二重化された現用系及び予備系とで構成されている複数の第２端末との間に介在するＡＴＭ交換機において、
前記第２端末に割り当てられた帯域に関するデータが登録された帯域管理テーブルと、
前記現用系の第２端末に対して代理となる前記予備系の第２端末を代理端末として登録した代理端末登録テーブルと、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、代理端末登録テーブルから読み出した代理端末を前記第１端末に接続する制御部とを備えたことを特徴とするＡＴＭ交換機。
【請求項２】
第１端末と複数の第２端末との間に介在するＡＴＭ交換機において、
前記第２端末に割り当てられた帯域に関するデータが登録された帯域管理テーブルと、
前記第２端末に対して代理となる別の前記第２端末を代理端末として帯域の大きさ別に複数種登録した代理端末登録テーブルと、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、前記第１端末から指定された要求帯域の大きさを索引として、代理端末登録テーブルから前記要求帯域に対応した前記代理端末を検索し、読み出した代理端末を前記第１端末に接続する制御部とを備えたことを特徴とするＡＴＭ交換機。
【請求項３】
第１端末と複数の第２端末との間に介在するＡＴＭ交換機において、
前記第２端末に割り当てられた帯域に関するデータが登録された帯域管理テーブルと、
前記第２端末に対して代理となる別の前記第２端末を代理端末として登録した代理端末登録テーブルと、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、代理端末登録テーブルから読み出した代理端末を前記第１端末に接続し、また、前記第１端末と前記第２端末が接続状態にある場合に、前記第２端末に確保されている帯域を利用して、前記第２端末に所定の情報を
通知する制御部とを備えたことを特徴とするＡＴＭ交換機。
【請求項４】
第１端末と複数の第２端末との間に介在するＡＴＭ交換機において、
情報を記録する補助記憶装置と、
前記第２端末に割り当てられた帯域に関するデータが登録された帯域管理テーブルと、
前記第２端末に対して前記補助記憶装置を代理端末として登録した代理端末登録テーブルと、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、前記補助記憶装置に所定の情報を書き込む制御部とを備えたことを特徴とするＡＴＭ交換機。
【請求項５】
第１端末と複数の第２端末との間に介在するＡＴＭ交換機において、
前記第２端末に割り当てられた帯域に関するデータが登録された帯域管理テーブルと、
前記第２端末に対して代理となる別の前記第２端末を代理端末として登録した代理端末登録テーブルと、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、代理端末登録テーブルから読み出した代理端末を前記第１端末に接続し、また、前記第１端末と前記第２端末が接続状態にある場合に、前記第２端末から、接続中の前記第１端末に対する接続相手を前記代理端末に変更するよう指示された場合に、接続状態にある前記第２端末が使用している帯域を使用して前記代理端末に接続する制御部とを備えたことを特徴とするＡＴＭ交換機。
【請求項６】
第１端末と複数の第２端末との間に介在するＡＴＭ交換機において、
前記第２端末に割り当てられた帯域に関するデータが登録された帯域管理テーブルと、
前記第２端末に対して代理となる別の前記第２端末を代理端末として登録した代理端末登録テーブルと、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、代理端末登録テーブルから読み出した代理端末を前記第１端末に接続し、また、前記代理端末を呼び出してから所定時間経過しても前記代理端末が応答しない場合には、前記第１端末から接続先として指定された前記第２端末に再度接続を試みる制御部とを備えたことを特徴とするＡＴＭ交換機。
【請求項７】
第１端末と複数の第２端末との間に介在するＡＴＭ交換機において、
前記第２端末に割り当てられた帯域に関するデータが登録された帯域管理テーブルと、
前記第２端末に対して代理となる別の前記第２端末を代理端末として登録した代理端末登録テーブルと、
通信情報を記録する補助記憶装置と、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、代理端末登録テーブルから読み出した代理端末を前記第１端末に接続し、前記第１端末と前記代理端末との間で通信された情報を前記補助記憶装置に記憶し、前記第１端末と前記代理端末との間の通信が終了した後、前記第１端末から接続先として指定された前記第２端末が接続可能となった時点で、前記補助記憶装置に記録された通信情報をこの第２端末に通知する制御部とを備えたことを特徴とするＡＴＭ交換機。
【請求項８】
第１端末と複数の第２端末との間に介在するＡＴＭ交換機において、
前記第２端末に割り当てられた帯域に関するデータが登録された帯域管理テーブルと、
前記第２端末に対して代理となる別の前記第２端末を代理端末として登録した代理端末登録テーブルと、
代理端末に転送可能な時刻範囲が登録された転送時刻登録テーブルと、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、代理端末登録テーブルから代理端末を読み出し、現在時刻が、前記転送時刻登録テーブルに登録された時刻範囲にある場合に、この代理端末を前記第１端末に接続する制御部とを備えたことを特徴とするＡＴＭ交換機。
【請求項９】
第１端末と複数の第２端末との間に介在するＡＴＭ交換機において、
前記第２端末に割り当てられた帯域に関するデータが登録された帯域管理テーブルと、
前記第２端末に対して代理となる別の前記第２端末を代理端末として登録した代理端末登録テーブルと、
前記第１端末から接続先として指定された前記第２端末に割り当てられた帯域を前記帯域管理テーブルから読み出すとともに、読み出された帯域幅が接続を行うのに足りているか否かを判断し、足りていないと判断した場合には、代理端末登録テーブルから読み出した代理端末を前記第１端末に接続し、また、前記第１端末と前記第２端末が接続状態にある場合に、前記第２端末からの指示に基づいて、前記第１端末と前記代理端末とを接続状態にすると共に、接続状態にある前記第２端末と前記代理端末とを接続状態にする制御部とを備えたことを特徴とするＡＴＭ交換機。
【発明の詳細な説明】
【０００１】
【発明の属する技術分野】
本発明は、ＡＴＭ（Ａｓｙｎｃｈｒｏｎｏｕｓ  Ｔｒａｎｓｆｅｒ  Ｍｏｄｅ：非同期転送モード）交換機に関する。
【０００２】
【従来の技術】
ＡＴＭ交換機は、端末が接続されたネットワークを収容したり、直接に端末を収容したりすることで端末間を接続するが、その接続は、端末間を接続する前に発信側の端末（発信者端末）やネットワークから申告された着信要求条件に基づいて行われている。
【０００３】
即ち、着信要求条件を満足できる資源を確保できる場合には端末間を接続し、確保できない場合には端末間を接続しないのである。このような接続の仕方は、一般に着信制御と呼ばれている。
【０００４】
ここで、着信要求条件には、例えば呼の所要帯域や着信ユーザの識別子（ＩＤ）等が含まれている。
【０００５】
【発明が解決しようとする課題】
このように従来技術の着信制御では、着信要求条件を満足する資源を確保できない場合には希望する相手に接続を行わないが、他の相手に接続できる場合には、その相手に接続してもらった方がサービスとしては良い場合がある。
【０００６】
その一例として医療の例がある。つまり、患者側の端末から医療機関Ｘ側の端末に接続を要求したにも関わらず接続できない場合、接続を行わないよりも、患者側の端末を別の医療機関Ｙ側の端末に接続する方が、良いサービスを提供することになる。
【０００７】
本発明は、このような事情に鑑みてなされたもので、指定した接続先の端末に接続できない場合でも、代理となる端末に接続することができるＡＴＭ交換機を提供することを課題とする。
【０００８】
【課題を解決するための手段】
本発明は、前述した課題を解決するために以下の手段を採用する。
第１のＡＴＭ交換機１００は、前述した課題を解決するため、図１に示す構成を採用する。
【０００９】
即ち、第１のＡＴＭ交換機１００は、第１端末と複数の第２端末との間に介在するＡＴＭ交換機１００において、帯域管理テーブル１１２、代理端末登録テーブル１１３及び制御部１０６を備えている。
【００１０】
（帯域管理テーブル１１２）
帯域管理テーブル１１２には、前記第２端末に割り当てられた帯域に関するデータが登録されている。
【００１１】
（代理端末登録テーブル１１３）
代理端末登録テーブル１１３には、前記第２端末に対して代理となる別の前記第２端末が代理端末として登録されている。
【００１２】
（制御部１０６）
制御部１０６は、前記第１端末から接続先として指定された前記第２端末に割り当てられた帯域を前記帯域管理テーブル１１２から読み出すとともに、読み出された帯域幅が接続を行うのに足りているか否かを判断し、足りていないと判断した場合には、代理端末登録テーブル１１３から読み出した代理端末を前記第１端末に接続する。
【００１３】
第１のＡＴＭ交換機１００によれば、第１端末から接続要求があった場合に、接続先として指定された第２端末（接続指定先第２端末）に割り当てられた帯域が帯域管理テーブル１１２から読み出される。読み出された帯域幅が、接続指定先第２端末に対して接続を行うのに十分な大きさであれば、第１端末を接続指定先第２端末に接続する。一方、読み出された帯域幅が、接続指定先第２端末に対して接続を行うのに十分な大きさでなければ、接続指定先第２端末に対して代理となる代理端末に関するデータを代理端末登録テーブル１１３から読み出す。そして、読み出された代理端末を第１端末に接続する。このように、発信側（第１端末側）が何ら意識することなく、着信側（第２端末側）が代理として認めた別の着信者に接続が行われるため、発信側にとって、接続が拒否される機会が減少するとともに、待ち合わせが少なくなり、何度も接続を試みる操作も不要となる。
【００１４】
第２のＡＴＭ交換機１００は、前述した課題を解決するため、以下の手段を採用する。即ち、第１のＡＴＭ交換機１００において、前記第２端末が、個々に、二重化された現用系及び予備系とで構成されている場合に、前記代理端末登録テーブル１１３には、現用系の前記第２端末に対する前記代理端末として、予備系の前記第２端末が登録されている。
【００１５】
第３のＡＴＭ交換機１００は、前述した課題を解決するため、以下の手段を採用する。即ち、第１のＡＴＭ交換機１００において、前記代理端末登録テーブル１１３には、前記第２端末に対して帯域の大きさ別に複数種の代理端末が登録されている。そして、前記制御部１０６は、前記第１端末から指定された要求帯域の大きさを索引として、前記代理端末登録テーブル１１３から前記要求帯域に対応した前記代理端末を検索する。
【００１６】
第４のＡＴＭ交換機１００は、前述した課題を解決するため、以下の手段を採用する。即ち、第１のＡＴＭ交換機１００において、前記制御部１０６は、前記第２端末に確保されている帯域を利用して、前記第１端末から接続先として指定された前記第２端末に所定の情報を通知する。
【００１７】
第４のＡＴＭ交換機１００によれば、前記第２端末は、前記第１端末から接続要求があったことを認識することが可能となる。
第５のＡＴＭ交換機１００は、前述した課題を解決するため、以下の手段を採用する。
【００１８】
即ち、第１のＡＴＭ交換機１００において、情報を記録する補助記憶装置を設ける。そして、前記制御部１０６は、前記第１端末から接続先として指定された前記第２端末に対して、接続を行うのに必要な帯域を確保できない場合に、所定の情報を前記補助記憶装置に書き込む。
【００１９】
第６のＡＴＭ交換機１００は、前述した課題を解決するため、以下の手段を採用する。即ち、第１のＡＴＭ交換機１００において、前記制御部１０６は、接続状態にある前記第２端末から、接続中の前記第１端末に対する接続相手を前記代理端末に変更するよう指示された場合に、接続状態にある前記第２端末が使用している帯域を使用して前記代理端末に接続する。
【００２０】
第６のＡＴＭ交換機１００によれば、接続先の変更が行いやすくなる。
第７のＡＴＭ交換機１００は、前述した課題を解決するため、以下の手段を採用する。
【００２１】
即ち、第１のＡＴＭ交換機１００において、前記制御部１０６は、前記代理端末を呼び出してから所定時間経過しても前記代理端末が応答しない場合に、前記第１端末から接続先として指定された前記第２端末に再度接続を試みる。
【００２２】
第７のＡＴＭ交換機１００によれば、代理端末に接続できない場合に、発信側にとって、接続が拒否される機会がより減少する。
第８のＡＴＭ交換機１００は、前述した課題を解決するため、以下の手段を採用する。
【００２３】
即ち、第１のＡＴＭ交換機１００において、通信情報を記録する補助記憶装置を設ける。そして、前記制御部１０６は、前記第１端末と前記代理端末との間で通信された情報を前記補助記憶装置に記憶し、前記第１端末と前記代理端末との間の通信が終了した後、前記第１端末から接続先として指定された前記第２端末が接続可能となった時点で、前記補助記憶装置に記録された通信情報をこの第２端末に通知する。
【００２４】
第８のＡＴＭ交換機１００によれば、代理端末側にとって、本来の着信側に情報を伝える手間が省けるようになる。
第９のＡＴＭ交換機１００は、前述した課題を解決するため、以下の手段を採用する。
【００２５】
即ち、第１のＡＴＭ交換機１００において、代理端末に転送可能な時刻範囲が登録された転送時刻登録テーブル１１７を設ける。そして、前記制御部１０６は、現在時刻が、前記転送時刻登録テーブル１１７に登録された時刻範囲にある場合に、代理端末を前記第１端末に接続する。
【００２６】
第１０のＡＴＭ交換機１００は、前述した課題を解決するため、以下の手段を採用する。即ち、第１のＡＴＭ交換機１００において、前記制御部１０６は、接続状態にある前記第２端末からの指示に基づいて、前記第１端末と前記代理端末とを接続状態にすると共に、接続状態にある前記第２端末と前記代理端末とを接続状態にする。
【００２７】
第１０のＡＴＭ交換機１００によれば、発信側、本来の着信側及び代理側との三者間で種々のアプリケーションを実現することが可能となる。
【００２８】
【発明の実施の形態】
以下、本発明の実施の形態を図面を参照して説明する。
（第１実施形態の構成）
図２は、第１実施形態の構成図である。同図に示すように、本実施形態は、ＡＴＭ交換機１００と、ＡＴＭ交換機１００に接続された伝送路２００と、伝送路２００に接続されたネットワーク３００と、ネットワーク３００に接続された３台の端末Ａ〜Ｃと、ＡＴＭ交換機１００に直接に接続された３台の端末Ｄ〜Ｆを備えて構成されている。
【００２９】
（端末Ａ〜Ｆ）
端末Ａ〜Ｃは、図示していないディスプレイ装置を有し、呼を発信する。これらの端末Ａ〜Ｃは、例えばテレビ会議端末やテレビ会議装置等として機能する。そして、端末Ａ〜Ｃを発信者端末と総称する。なお、発信者端末は、３台に限られるものではなく、１台以上であればよい。
【００３０】
端末Ｄ〜Ｆは、端末Ａ〜Ｃから発信された呼が着信する端末であり、図示していないディスプレイ装置を有する。また、これらの端末Ｄ〜Ｆは、例えばテレビ会議端末やテレビ会議装置等として機能する。そして、端末Ｄ〜Ｆを着信者端末と総称する。着信者端末は、別の複数の着信者端末を代理として設定することが可能である。例えば、端末Ｅを、端末Ｄの代理とするようにである。以下、代理となる着信者端末を、代理端末と呼ぶ。代理端末には、優先順位が設定される。。なお、着信者端末は、３台に限られるものではなく、２台以上であればよい。
【００３１】
ここで、実施形態で用いられる端末番号、発信者端末番号、着信者端末番号、代理端末番号、接続要求元発信者端末及び接続要求先着信者端末の意味を以下に示す。
【００３２】
端末番号：端末を識別するために個々の端末に付与される番号である。
発信者端末番号：発信者端末に付与された端末番号である。
着信者端末番号：着信者端末に付与された端末番号である。
【００３３】
代理端末番号：代理端末に付与された端末番号である。
接続要求元発信者端末：発信者端末のうち、発信を要求している端末である。
接続要求先着信者端末：着信者端末のうち、着信を要求されている端末である。
【００３４】
（ＡＴＭ交換機１００）ＡＴＭ交換機１００は、伝送路２００に接続された第一回線制御部１０４と、第一回線制御部１０４に接続されたスイッチ部１０５と、スイッチ部１０５に接続された第二回線制御部１０７と、スイッチ部１０５に接続された制御装置１０６と、制御装置１０６に接続された記憶装置１１０と、第二回線制御部１０７に接続された補助記憶装置１０９とを備えて構成されている。
【００３５】
以下、ＡＴＭ交換機１００の各部の機能を説明する。
第一回線制御部１０４には、伝送路２００が接続されている。
第二回線制御部１０７は、複数のポートを有している。そして、そのポートには、着信者端末が１台ずつ接続されている。
【００３６】
スイッチ部１０５は、回線の切り換え等を行って、発信者端末と着信者端末とを接続する。この接続により、発信者端末と着信者端末との間で情報・信号が伝送可能となる。
【００３７】
記憶装置１１０は、ＡＴＭ交換機１００用の各種プログラムを記憶するとともに、データとして実現された、呼制御テーブル１１１、帯域管理テーブル１１２、代理端末登録第一テーブル１１３及び転送種別登録テーブル１１４を記憶する。
【００３８】
呼制御テーブル１１１は、物理ポートに接続されている端末が使用する帯域幅を示すために用いられるテーブルであり、発信者端末と着信者端末との接続状態を管理するためのデータが登録されている。図３は、呼制御テーブル１１１のデータ構成を表している。同図に示すように、呼制御テーブル１１１には、発信者端末番号、（発信者端末番号が付与された発信者端末が使用する）使用帯域幅、着信者端末番号、（着信者端末番号が付与された着信者端末が使用する）使用帯域幅、発信ポート番号、発信ＶＰＩ（Ｖｉｒｔｕａｌ  Ｐａｔｈ  Ｉｄｅｎｔｉｆｉｅｒ）、発信ＶＣＩ（Ｖｉｒｔｕａｌ  Ｃｈａｎｎｅｌ  Ｉｄｅｎｔｉｆｉｅｒ）、着信ポート番号、着信ＶＰＩ、着信ＶＣＩ、転送元端末番号、着信時間及び代理端末番号が１つの単位となって設定されている。そして、呼制御テーブル１１１に設定されているデータは、単位毎に呼番号を索引（インデックス）として検索される。なお、呼番号とは、呼単位に設定された番号のことである。
【００３９】
帯域管理テーブル１１２は、物理ポートの帯域幅を超過しないようにチェックするために用いられるテーブルであり、第二回線制御部１０７が有するポートに割り当てられた帯域に関するデータが登録されている。図４は、帯域管理テーブル１１２のデータ構成を表している。同図に示すように、帯域管理テーブル１１２には、ＶＰＩ、ＶＣＩ及びＶＰＩ・ＶＣＩが使用している帯域幅を表す使用中帯域幅が１単位となって設定されている。設定されているデータは、１つ以上の単位で、１ポート分のデータを構成する。また、帯域管理テーブル１１２には通知用帯域幅が設定されている。この通知用帯域幅は、発信者端末または着信者端末から、ＡＴＭ交換機１００に対し、接続／切断／サービス等の要求を行うための情報を通知するのに確保されている帯域幅を表す。そして、帯域管理テーブル１１２に設定されているデータは、単位毎にポート番号を索引（インデックス）として検索される。
【００４０】
代理端末登録第一テーブル１１３には、前記第２の端末に対して、代理となる別の前記第２の端末に関する情報が登録されている。図５は、代理端末登録第一テーブル１１３のデータ構成を表している。同図に示すように、代理端末登録第一テーブル１１３には、優先順位が最も高い代理端末の端末番号（第一代理端末番号）、次に優先順位が高い代理端末の端末番号（第二代理端末番号）等が１単位となって設定されている。そして、代理端末登録第一テーブル１１３に設定されているデータは、単位毎に端末番号を索引（インデックス）として検索される。
【００４１】
転送種別登録テーブル１１４には、転送種別に関するデータが登録されている。図６は、転送種別登録テーブル１１４のデータ構成を表している。同図に示すように、転送種別登録テーブル１１４には、応答遅延、不在、補助記憶装置及び着信帯域等が１単位となって設定されている。そして、転送種別登録テーブル１１４に設定されているデータは、単位毎に端末番号を索引（インデックス）として検索される。
【００４２】
補助記憶装置１０９は、各種の通信情報を記憶する。
なお、記憶装置１１０及び補助記憶装置１０９は、磁気ディスク記憶装置、ＲＡＭ、半導体記憶装置、磁気テープ装置、Ｍ／Ｏ（Ｍａｇｎｅｔ  Ｏｐｔｉｃａｌ；光磁気ディスク）装置、ＩＣカード等を利用して実現される。
【００４３】
制御装置１０６は、ＡＴＭ交換機１００全体の制御を行う。制御装置１０６は、中央演算処理装置（ＣＰＵ）を利用して実現される。
制御装置１０６は、以下の１）〜５）の処理を行う。
【００４４】
１）発信者端末から着信者端末に接続要求があった時に、帯域管理テーブル１１２から、接続要求先着信者端末に対応した使用中帯域幅を読み出すとともに、着信に足る帯域を確保できるか否かを判断する。
【００４５】
２）帯域を確保できないと判断した場合には、代理端末登録第一テーブル１１３に代理端末番号が登録されており、かつ、転送要件が転送種別登録テーブル１１４に登録されている条件に合致しているかを判断する。
【００４６】
３）代理端末番号が登録されており、転送要件が合致すると判断された場合には、代理端末登録第一テーブル１１３から代理端末番号を抽出する。
４）代理端末に接続するに足りる帯域があるか否かを次のように判断する。即ち、帯域管理テーブル１１２から読み出した１ポートあたりの使用帯域幅の合計値が、１ポートあたりの最大帯域幅を超えていれば、代理端末に接続するに足りる帯域はなく、越えていなければ、代理端末に接続するに足りる帯域はある。
【００４７】
５）代理端末に接続するに足りる帯域があると判断された場合には、呼制御テーブル１１１の代理端末番号データとして、３）で抽出された代理端末番号を登録するとともに、呼制御テーブル１１１の転送元端末番号データとして、接続要求先着信者端末の端末番号を登録する。このことにより、接続先の変更が行われる。
【００４８】
（第１実施形態で行われる動作）
次に、第１実施形態で行われる動作として、ＡＴＭ交換機１００内で行われる動作及び全体の動作について説明する。
【００４９】
図７は、ＡＴＭ交換機１００内で行われる動作を表すフローチャート図である。なお、以下の説明で、「抽出」は「読出」と同様の意味で用いられてる。
まず、制御装置１０６は、着信要求された着信者端末（以下、接続要求先着信者端末という）の使用中帯域幅を帯域管理テーブル１１２から読み出す（ステップ７０１）。
【００５０】
次に、ステップ７０１で読み出された使用中帯域幅に基づいて、接続要求先着信者端末が空いているか塞がっているかを判断する（ステップ７０２）。具体的には、使用中帯域幅が所定値以下であれば、空いていると判断し、使用中帯域幅が所定値以上であれば、塞がっていると判断する。
【００５１】
ステップ７０２で、空いていると判断された場合には、着信先要求先端末に対して接続処理を行う（ステップ７０３）。
ステップ７０２で、塞がっていると判断された場合には、転送種別登録テーブル１１４から接続要求先着信者端末に対応したデータを検索する（ステップ７０４）。
【００５２】
そして、ステップ７０４で検索されたデータから、転送要件が有るか無いかを調べる（ステップ７０５）。
ステップ７０５で、転送要件が無いと判断された場合には、接続処理を中断する（ステップ７０６）。
【００５３】
ステップ７０５で、転送要件が有ると判断された場合には、代理端末登録第一テーブル１１３から、接続要求先着信者端末に対応した代理端末の番号を抽出する（ステップ７０７）。
【００５４】
そして、代理端末の使用中帯域幅を帯域管理テーブル１１２から読み出す（ステップ７０８）。
次に、ステップ７０８で読み出された使用中帯域幅に基づいて、代理端末が空いているか塞がっているかを判断する（ステップ７０９）。具体的な判断方法は、ステップ７０２と同様である。
【００５５】
ステップ７０９で、空いていると判断された場合には、呼制御テーブル１１１の着信先データとして、代理端末の端末番号を登録するとともに、代理端末に対して接続処理を行う（ステップ７１０）。
【００５６】
ステップ７０９で、塞がっていると判断された場合には、ステップ７０７に戻る。即ち、ステップ７０７からステップ７０９は、代理端末が空いていると判断されるまで繰り返される。
【００５７】
次に、全体の動作について説明する。
図８は、全体の動作を表すシーケンス図である。
まず、接続要求元発信者端末は、呼設定を開始することを表す「呼設定」メッセージをＡＴＭ交換機１００に送信する（ステップ８０１）。
【００５８】
ＡＴＭ交換機１００は、呼設定に対する返事を接続要求元発信者端末に送信すると共に（ステップ８０２）、接続要求先着信者端末の状態を確認するため、帯域管理テーブル１１２から接続要求先着信者端末の使用中帯域幅を抽出する（ステップ８０３）。
【００５９】
ステップ８０３で抽出された使用中帯域幅を用いては、接続要求先着信者端末に着信できない場合、ＡＴＭ交換機１００は、転送先を求めるため、代理端末登録第一テーブル１１３から代理端末を抽出する（ステップ８０４）。
【００６０】
そして、ＡＴＭ交換機１００は、ステップ８０４で抽出された代理端末の状態を確認し、代理端末が着信可能な場合に、呼制御テーブル１１１に、代理端末の端末番号を登録する（ステップ８０５）。
【００６１】
その後、ＡＴＭ交換機１００は、接続要求元発信者端末と代理端末との接続動作を行う（ステップ８０６）。
その後、ＡＴＭ交換機１００は、「接続要求」メッセージを代理端末に送信する（ステップ８０７）。
【００６２】
代理端末は、「接続要求」メッセージを受け付けたことを表す「接続確認」メッセージをＡＴＭ交換機１００に送信する（ステップ８０８）。
そして、ＡＴＭ交換機１００は、「接続確認」メッセージを接続要求元発信者端末に送信する（ステップ８０９）。
＜第２実施形態＞
第２実施形態は、第１実施形態に機能を付加して構成してある。図９は、第２実施形態の構成図である。同図において、第１実施形態と同じ機能を有する構成要素には、図２と同一の番号を付してある。そして、図２と同一の番号を付した要素のうち、機能的に同一のものについては、その説明を省略する。
【００６３】
（着信者端末）
着信者端末は、各々が二重化されて構成されている。ここでは、「現用系」及び「予備系」の名称をつけて、一つの着信者端末を区別する。現用系着信者端末は、第一表示部１１−１、第一音声出力部１２−１及び第一記録部１３−１を有している。また、予備系着信者端末は、第二表示部１１−２、第二音声出力部１２−２及び第二記録部１３−２を有している。
【００６４】
第一表示部１１−１及び第二表示部１１−２は、画像を表示する。
第一音声出力部１２−１及び第二音声出力部１２−２は、音声を出力する。
第一記録部１３−１及び第二記録部１３−２は、各種のデータを記録する。
【００６５】
（ＡＴＭ交換機１００）
第２実施形態において、ＡＴＭ交換機１００の制御部１０６は、以下の１）〜５）の処理を行う。
【００６６】
１）発信者端末から現用系着信者端末に接続要求があった時に、帯域管理テーブル１１２から、現用系の接続要求先着信者端末に対応した使用中帯域幅を読み出すとともに、着信に足る帯域を確保できるか否かを判断する。
【００６７】
２）帯域を確保できないと判断した場合には、代理端末登録第一テーブル１１３に代理端末番号が登録されているかを判断する。なお、本実施形態での代理端末とは、予備系の接続要求先着信者端末のことであり、代理端末番号とは、予備系の接続要求先着信者端末の端末番号のことである。
【００６８】
３）代理端末番号が登録されている場合には、代理端末登録第一テーブル１１３から代理端末番号を抽出する。
４）代理端末に接続するに足りる帯域があるか否かを次のように判断する。即ち、帯域管理テーブル１１２から読み出した１ポートあたりの使用帯域幅の合計値が、１ポートあたりの最大帯域幅を超えていれば、代理端末に接続するに足りる帯域はなく、越えていなければ、代理端末に接続するに足りる帯域はある。
【００６９】
５）代理端末に接続するに足りる帯域があると判断された場合には、呼制御テーブル１１１の代理端末番号データとして、３）で抽出された代理端末番号を登録するとともに、呼制御テーブル１１１の転送元端末番号データとして、接続要求先着信者端末の端末番号を登録する。このことにより、接続先の変更が行われる。
【００７０】
（第２実施形態で行われる動作）
次に、第２実施形態で行われる動作として、ＡＴＭ交換機１００内で行われる動作及び全体の動作について説明する。
【００７１】
図１０は、ＡＴＭ交換機１００内で行われる動作を表すフローチャート図である。なお、以下の説明で、「抽出」は「読出」と同様の意味で用いられてる。
まず、制御装置１０６は、接続要求先着信者端末のうち、現用系の接続要求先着信者端末の使用中帯域幅を帯域管理テーブル１１２から読み出す（ステップ１００１）。
【００７２】
次に、ステップ１００１で読み出された使用中帯域幅に基づいて、現用系の接続要求先着信者端末が空いているか塞がっているかを判断する（ステップ１００２）。具体的には、使用中帯域幅が所定値以下であれば、空いていると判断し、使用中帯域幅が所定値以上であれば、塞がっていると判断する。
【００７３】
ステップ１００２で、空いていると判断された場合には、現用系の着信先要求先端末に対して接続処理を行う（ステップ１００３）。
ステップ１００２で、塞がっていると判断された場合には、転送種別登録テーブル１１４から接続要求先着信者端末に対応したデータを検索する（ステップ１００４）。
【００７４】
そして、ステップ１００４で検索されたデータから、転送要件が有るか無いかを調べる（ステップ１００５）。
ステップ１００５で、転送要件が無いと判断された場合には、接続処理を中断する（ステップ１００６）。
【００７５】
ステップ１００５で、転送要件が有ると判断された場合には、代理端末登録第一テーブル１１３から、接続要求先着信者端末に対応した予備系の接続要求先着信者端末の番号を抽出する（ステップ１００７）。
【００７６】
そして、予備系の接続要求先着信者端末の使用中帯域幅を帯域管理テーブル１１２から読み出す（ステップ１００８）。
次に、ステップ１００８で読み出された使用中帯域幅に基づいて、予備系の接続要求先着信者端末が空いているか塞がっているかを判断する（ステップ１００９）。具体的な判断方法は、ステップ１００２と同様である。
【００７７】
ステップ１００９で、空いていると判断された場合には、呼制御テーブル１１１の着信先データとして、予備系の接続要求先着信者端末の端末番号を登録するとともに、予備系の接続要求先着信者端末に対して接続処理を行う（ステップ１０１０）。
【００７８】
ステップ１００９で、塞がっていると判断された場合には、ステップ１００７に戻る。即ち、ステップ１００７からステップ１００９は、予備系の接続要求先着信者端末が空いていると判断されるまで繰り返される。
【００７９】
次に、全体の動作について説明する。
図１１は、全体の動作を表すシーケンス図である。
まず、接続要求元発信者端末は、呼設定を開始することを表す「呼設定」メッセージをＡＴＭ交換機１００に送信する（ステップ１１０１）。
【００８０】
ＡＴＭ交換機１００は、呼設定に対する返事を接続要求元発信者端末に送信すると共に（ステップ１１０２）、現用系の接続要求先着信者端末の状態を確認するため、帯域管理テーブル１１２から現用系の接続要求先着信者端末の使用中帯域幅を抽出する（ステップ１１０３）。
【００８１】
ステップ１１０３で抽出された使用中帯域幅を用いては、接続要求先着信者端末に着信できない場合、ＡＴＭ交換機１００は、転送先を求めるため、代理端末登録第一テーブル１１３から予備系の接続要求先着信者端末を抽出する（ステップ１１０４）。
【００８２】
そして、ＡＴＭ交換機１００は、ステップ１１０４で抽出された予備系の接続要求先着信者端末の状態を確認し、予備系の接続要求先着信者端末が着信可能な場合に、呼制御テーブル１１１に、予備系の接続要求先着信者端末の端末番号を登録する（ステップ１１０５）。
【００８３】
その後、ＡＴＭ交換機１００は、接続要求元発信者端末と予備系の接続要求先着信者端末との接続動作を行う（ステップ１１０６）。
その後、ＡＴＭ交換機１００は、「接続要求」メッセージを予備系の接続要求先着信者端末に送信する（ステップ１１０７）。
【００８４】
予備系の接続要求先着信者端末は、「接続要求」メッセージを受け付けたことを表す「接続確認」メッセージをＡＴＭ交換機１００に送信する（ステップ１１０８）。
【００８５】
そして、ＡＴＭ交換機１００は、「接続確認」メッセージを接続要求元発信者端末に送信する（ステップ１１０９）。
＜第３実施形態＞
第３実施形態は、第１実施形態に機能を付加して構成してある。図１２は、第３実施形態の構成図である。同図において、第１実施形態と同じ機能を有する構成要素には、図２と同一の番号を付してある。そして、図２と同一の番号を付した要素のうち、機能的に同一のものについては、その説明を省略する。
【００８６】
（ＡＴＭ交換機１００）
第３実施形態において、ＡＴＭ交換機１００の記憶装置１１０は、データとして実現された、代理端末登録第二テーブル１１５を記憶する。
【００８７】
代理端末登録第二テーブル１１５には、発信者端末の帯域幅に対応する代理端末が登録されている。図１３は、代理端末登録第二テーブル１１５のデータ構成を表している。同図に示すように、代理端末登録第二テーブル１１５には、優先順位が最も高い代理端末の端末番号（第一代理端末番号）、次に優先順位が高い代理端末の端末番号（第二代理端末番号）等が１単位となって設定されている。設定されているデータは、単位毎に、発信者端末の帯域幅を索引（インデックス）として検索される。
【００８８】
また、ＡＴＭ交換機１００の制御装置１０６は、以下の１）〜５）の処理を行う。
１）発信者端末から着信者端末に接続要求があった時に、要求帯域を確認する。
【００８９】
２）代理端末登録第二テーブル１１５から、１）で確認された要求帯域を索引として第一代理端末番号を検索する。
３）２）で検索された第一代理端末番号を持つ着信者端末の空き帯域を、帯域管理テーブル１１２を参照して確認する。
【００９０】
４）空き帯域を持つ代理端末が見つかるまで、優先順位を下げながら２）及び３）を繰り返す。
５）空き帯域を持つ代理端末が見つかった場合、呼制御テーブル１１１の代理端末番号データとして、空き帯域を持つ代理端末の端末番号を登録するとともに、呼制御テーブル１１１の転送元端末番号として、接続要求先着信者端末の端末番号を登録する。このことにより、接続先の変更が行われる。
【００９１】
（第３実施形態で行われる動作）
次に、第３実施形態で行われる動作として、ＡＴＭ交換機１００内で行われる動作及び全体の動作について説明する。
【００９２】
図１４は、ＡＴＭ交換機１００内で行われる動作を表すフローチャート図である。なお、以下の説明で、「抽出」は「読出」と同様の意味で用いられてる。
まず、制御装置１０６は、接続要求元発信者端末から通知された帯域幅を呼制御テーブル１１１に登録する（ステップ１４０１）。
【００９３】
次に、接続要求元発信者端末から通知された帯域幅を索引として、代理端末登録第二テーブル１１５から代理端末を抽出する（ステップ１４０２）。
そして、呼制御テーブル１１１の代理端末番号データとして、ステップ１４０２で抽出された代理端末の端末番号を登録するとともに、接続要求元発信者端末と代理端末との間の接続処理を行う（ステップ１４０３）。
【００９４】
次に、全体の動作について説明する。
図１５は、全体の動作を表すシーケンス図である。
まず、接続要求元発信者端末は、呼設定を開始することを表す「呼設定」メッセージをＡＴＭ交換機１００に送信する（ステップ１５０１）。
【００９５】
ＡＴＭ交換機１００は、呼設定に対する返事を接続要求元発信者端末に送信すると共に（ステップ１５０２）、接続要求先着信者端末の状態を確認するため、帯域管理テーブル１１２から接続要求先着信者端末の使用中帯域幅を抽出する（ステップ１５０３）。
【００９６】
ステップ１５０３で抽出された使用中帯域幅を用いては、接続要求先着信者端末に着信できない場合、ＡＴＭ交換機１００は、転送先を求めるため、代理端末登録第二テーブル１１５から代理端末を抽出する（ステップ１５０４）。
【００９７】
そして、ＡＴＭ交換機１００は、ステップ１５０４で抽出された代理端末の状態を確認し、代理端末が着信可能な場合に、呼制御テーブル１１１に、代理端末の端末番号を登録する（ステップ１５０５）。
【００９８】
その後、ＡＴＭ交換機１００は、接続要求元発信者端末と代理端末との接続動作を行う（ステップ１５０６）。
その後、ＡＴＭ交換機１００は、「接続要求」メッセージを代理端末に送信する（ステップ１５０７）。
【００９９】
代理端末は、「接続要求」メッセージを受け付けたことを表す「接続確認」メッセージをＡＴＭ交換機１００に送信する（ステップ１５０８）。
そして、ＡＴＭ交換機１００は、「接続確認」メッセージを接続要求元発信者端末に送信する（ステップ１５０９）。
＜第４実施形態＞
第４実施形態は、ＡＴＭ交換機１００とある着信者端末との間に、予め一定の帯域が確保されていることを除いて、第１実施形態〜第３実施形態と同様に構成されている。
【０１００】
第４実施形態において、ＡＴＭ交換機１００の制御装置１０６は、以下の１）〜２）の処理を行う。
１）予め帯域が確保された着信者端末（帯域確保済着信者端末という）に着信要求があった場合に、呼制御テーブル１１１、帯域管理テーブル１１２及び代理端末登録第一テーブル１１３を参照する。
【０１０１】
２）予め確保されていた帯域を利用して、発信者端末番号、転送元端末番号、着信時間及び接続要求元発信者端末から受信した受信情報を帯域確保済着信者端末に通知する。
【０１０２】
（第４実施形態で行われる動作）
次に、第４実施形態で行われる動作として、ＡＴＭ交換機１００内で行われる動作及び全体の動作について説明する。
【０１０３】
図１６は、ＡＴＭ交換機１００内で行われる動作を表すフローチャート図である。なお、以下の説明で、「抽出」は「読出」と同様の意味で用いられてる。
まず、制御装置１０６は、呼制御テーブル１１１から、発信者端末番号、転送元端末番号及び着信時間に関するデータを抽出する（ステップ１６０１）。
【０１０４】
次に、制御装置１０６は、帯域管理テーブル１１２から通知用帯域幅を抽出する（ステップ１６０２）。
そして、ステップ１６０２で抽出された通知用帯域を利用して、ステップ１６０１で抽出された発信者端末番号、転送元端末番号及び着信時間に関するデータを帯域確保済着信者端末に通知する（ステップ１６０３）。
【０１０５】
次に、全体の動作について説明する。
図１７は、全体の動作を表すシーケンス図である。
まず、接続要求元発信者端末は、呼設定を開始することを表す「呼設定」メッセージをＡＴＭ交換機１００に送信する（ステップ１７０１）。
【０１０６】
ＡＴＭ交換機１００は、呼設定に対する返事を接続要求元発信者端末に送信すると共に（ステップ１７０２）、帯域管理テーブル１１２から、帯域確保済着信者端末である接続要求先着信者端末の通知用帯域幅を抽出する（ステップ１７０３）。
【０１０７】
その後、ＡＴＭ交換機１００は、「接続要求」メッセージを帯域確保済着信者端末に送信する（ステップ１７０４）。
帯域確保済着信者端末は、「接続要求」メッセージを受け付けたことを表す「接続確認」メッセージをＡＴＭ交換機１００に送信する（ステップ１７０５）。
【０１０８】
そして、ＡＴＭ交換機１００は、帯域確保済着信者端末の通知用帯域を利用して、発信者端末番号、転送元端末番号及び着信時間に関するデータを帯域確保済着信者端末に通知する（ステップ１７０６）。
＜第５実施形態＞
第５実施形態は、ＡＴＭ交換機１００とある着信者端末との間に、予め一定の帯域が確保されていることを除いて、第１実施形態〜第３実施形態と同様に構成されている。
【０１０９】
第５実施形態において、ＡＴＭ交換機１００の制御装置１０６は、以下の１）〜３）の処理を行う。
１）予め帯域が確保された着信者端末（帯域確保済着信者端末という）に着信要求があった場合に、呼制御テーブル１１１を参照して、予め確保されていた帯域である通知用帯域を抽出する。
【０１１０】
２）次に、帯域管理テーブル１１２を参照して、通知用帯域が使用中か否かを判断する。
３）通知用帯域が使用中であって、なおかつ、代理端末登録第一テーブル１１３に、代理端末番号として補助記憶装置１０９が登録されている場合に、呼制御テーブル１１１から抽出した接続要求元発信者端末から受信した受信情報を補助記憶装置１０９に格納する。
【０１１１】
（第５実施形態で行われる動作）
次に、第５実施形態で行われる動作として、ＡＴＭ交換機１００内で行われる動作及び全体の動作について説明する。
図１８は、ＡＴＭ交換機１００内で行われる動作を表すフローチャート図である。なお、以下の説明で、「抽出」は「読出」と同様の意味で用いられてる。
【０１１２】
まず、制御装置１０６は、呼制御テーブル１１１から、発信者端末番号、転送元端末番号及び着信時間に関するデータを抽出する（ステップ１８０１）。
そして、制御装置１０６は、帯域管理テーブル１１２から、通知用帯域幅を抽出する（ステップ１８０２）。
【０１１３】
ここで、ステップ１８０２で抽出された通知用帯域が使用中か否かを判断する（ステップ１８０３）。
ステップ１８０３で、通知用帯域が使用中ではないと判断した場合には、ステップ１８０１で抽出された発信者端末番号、転送元端末番号及び着信時間に関するデータを帯域確保済着信者端末に通知する（ステップ１８０４）。
【０１１４】
ステップ１８０３で、通知用帯域が使用中であると判断した場合には、代理端末登録第一テーブル１１３から、補助記憶装置１０９を抽出する（ステップ１８０５）。そして、ステップ１８０５で抽出された補助記憶装置１０９に、発信者端末番号、転送元端末番号及び着信時間に関するデータを格納する（ステップ１８０６）。
【０１１５】
次に、全体の動作について説明する。
図１９は、全体の動作を表すシーケンス図である。
まず、接続要求元発信者端末は、呼設定を開始することを表す「呼設定」メッセージをＡＴＭ交換機１００に送信する（ステップ１９０１）。
【０１１６】
ＡＴＭ交換機１００は、呼設定に対する返事を接続要求元発信者端末に送信すると共に（ステップ１９０２）、帯域管理テーブル１１２から、帯域確保済着信者端末である接続要求先着信者端末の通知用帯域幅を抽出する（ステップ１９０３）。
【０１１７】
ここで、ＡＴＭ交換機１００は、ステップ１９０３で抽出された通知用帯域は使用中と判断する（ステップ１９０４）。
そして、ＡＴＭ交換機１００は、代理端末として補助記憶装置１０９を選択する（ステップ１９０５）。
【０１１８】
その後、ＡＴＭ交換機１００は、「接続要求」メッセージを補助記憶装置１０９に送信する（ステップ１９０６）。
補助記憶装置１０９は、「接続要求」メッセージを受け付けたことを表す「接続確認」メッセージをＡＴＭ交換機１００に送信する（ステップ１９０７）。
【０１１９】
そして、ＡＴＭ交換機１００は、発信者端末番号、転送元端末番号及び着信時間に関する
データを補助記憶装置１０９に通知する（ステップ１９０８）。
【０１２０】
その後、補助記憶装置１０９は、「切断要求」メッセージをＡＴＭ交換機１００に送信する（ステップ１９０９）。
ＡＴＭ交換機１００は、「切断要求」メッセージを受け付けたことを表す「切断確認」メッセージを補助記憶装置１０９に送信する（ステップ１９１０）。
＜第６実施形態＞
第６実施形態は、第１実施形態〜第３実施形態と同様に構成されている。
【０１２１】
第６実施形態において、接続状態の着信者端末は、他の着信者端末を接続先に変更するよう、ＡＴＭ交換機１００に指示することができる。
ＡＴＭ交換機１００の制御装置１０６は、以下の１）〜４）の処理を行う。
【０１２２】
１）接続状態の着信者端末から、他の着信者端末に接続先を変更する指示があった場合に、帯域管理テーブル１１２を参照して、接続変更先の着信者端末（接続変更先着信者端末という）との間の通信に必要な帯域が確保できるか否かを判断する。
【０１２３】
２）１）の判断結果、帯域が確保できない場合には、接続先の変更を要求した着信者端末（接続先変更要求着信者端末）が使用している帯域を、接続変更先着信者端末用の帯域として、帯域管理テーブル１１２に登録する。
【０１２４】
３）呼制御テーブル１１１の着信者端末番号データを、接続先変更要求着信者端末の端末番号から、接続変更先着信者端末の端末番号に変更する。また、呼制御テーブル１１１の転送元端末番号データとして、接続先変更要求着信者端末の端末番号を登録する。
【０１２５】
４）接続変更先着信者端末を呼び出した後、スイッチ部１０５に接続先の変更を指示する。
（第６実施形態で行われる動作）
次に、第６実施形態で行われる動作として、ＡＴＭ交換機１００内で行われる動作及び全体の動作について説明する。
【０１２６】
図２０は、ＡＴＭ交換機１００内で行われる動作を表すフローチャート図である。なお、以下の説明で、「抽出」は「読出」と同様の意味で用いられてる。
まず、接続状態の着信者端末が、他の着信者端末に接続先を変更するようＡＴＭ交換機１００に指示する（ステップ２００１）。
【０１２７】
ＡＴＭ交換機１００は、接続変更先着信者端末の使用中帯域を帯域管理テーブル１１２から抽出する（ステップ２００２）。
ここで、ステップ２００２で抽出された使用中帯域の大きさにより、接続変更先着信者端末が空いているか塞がっているかを判断する（ステップ２００３）。
【０１２８】
ステップ２００３で、接続変更先着信者端末が空いていると判断された場合には、接続変更先着信者端末に対し接続処理を行う（ステップ２００４）。
ステップ２００３で、接続変更先着信者端末が塞がっていると判断された場合には、接続先変更要求着信者端末の使用中帯域を帯域管理テーブル１１２から抽出する（ステップ２００５）。
【０１２９】
そして、ステップ２００５で抽出された使用中帯域を、接続変更先着信者端末の使用中帯域として帯域管理テーブル１１２に書き込む（ステップ２００６）。そして、呼制御テーブル１１１の着信者端末番号データを、接続先変更要求着信者端末の端末番号から、接続変更先着信者端末の端末番号に変更する。また、呼制御テーブル１１１の転送元端末番号データとして、接続先変更要求着信者端末の端末番号を登録する（ステップ２００７）。
【０１３０】
最後に、スイッチ部１０５に対し、接続先の変更を指示する（ステップ２００８）。
次に、全体の動作について説明する。
【０１３１】
図２１は、全体の動作を表すシーケンス図である。
まず、発信者端末と接続先変更要求着信者端末とが接続中であるとする（ステップ２１０１）。
【０１３２】
ここで、接続先変更要求着信者端末は、接続先の変更指示を表す「接続先変更指示」メッセージをＡＴＭ交換機１００に送信する（ステップ２１０２）。
ＡＴＭ交換機１００は、接続先を切り換える処理を行う状態に入ることを表す「状態通知」メッセージを発信者端末に送信する（ステップ２１０３）。
【０１３３】
そして、ＡＴＭ交換機１００は、接続変更先着信者端末の使用中帯域を確認するとともに（ステップ２１０４）、接続先変更要求着信者端末の使用中帯域を解放する（ステップ２１０５）。そして、ＡＴＭ交換機１００は、接続変更先着信者端末用の帯域を確保する（ステップ２１０６）。
【０１３４】
その後、ＡＴＭ交換機１００は、接続変更先着信者端末に「接続要求」メッセージを送信する（ステップ２１０７）。
接続要求を受け付けた接続変更先着信者端末は、ＡＴＭ交換機１００に「接続確認」メッセージを送信する（ステップ２１０８）。
【０１３５】
また、ＡＴＭ交換機１００は、発信者端末に「接続要求」メッセージを送信する（ステップ２１０９）。
接続要求を受け付けた発信者端末は、ＡＴＭ交換機１００に「接続確認」メッセージを送信する（ステップ２１１０）。
＜第７実施形態＞
第７実施形態は、第６実施形態に機能を付加して構成してある。図２２は、第７実施形態の構成図である。同図において、第１実施形態と同じ機能を有する構成要素には、図２と同一の番号を付してある。そして、図２と同一の番号を付した要素のうち、機能的に同一のものについては、その説明を省略する。
【０１３６】
（ＡＴＭ交換機１００）
第７実施形態において、ＡＴＭ交換機１００の記憶装置１１０は、データとして実現された、不応答時間登録テーブル１１６を記憶する。
【０１３７】
不応答時間登録テーブル１１６には、所定の時間が登録される。登録される時間を、以下、不応答時間と呼ぶ。図２３は、不応答時間登録テーブル１１６のデータ構成を表している。同図に示すように、登録された不応答時間は、端末番号を索引（インデックス）として検索される。
【０１３８】
ＡＴＭ交換機１００の制御装置１０６は、以下の１）〜４）の処理を行う。
１）接続状態の着信者端末から、他の着信者端末に接続先を変更する指示があった場合に、帯域管理テーブル１１２を参照して、接続変更先の着信者端末（接続変更先着信者端末という）との間の通信に必要な帯域が確保できるか否かを判断する。
【０１３９】
２）１）の判断結果、帯域が確保できない場合には、接続先の変更を要求した着信者端末（接続先変更要求着信者端末）が使用している帯域を、接続変更先着信者端末用の帯域として、帯域管理テーブル１１２に登録する。
【０１４０】
３）呼制御テーブル１１１の着信者端末番号データを、接続先変更要求着信者端末の端末番号から、接続変更先着信者端末の端末番号に変更する。また、呼制御テーブル１１１の転送元端末番号データとして、接続先変更要求着信者端末の端末番号を登録する。
【０１４１】
４）接続変更先着信者端末を呼び出してから、不応答時間登録テーブル１１６に登録された不応答時間が経過しても接続変更先着信者端末から応答が無い場合、接続先変更要求着信者端末に再度接続する。
【０１４２】
（第７実施形態で行われる動作）
次に、第７実施形態で行われる動作として、ＡＴＭ交換機１００内で行われる動作及び全体の動作について説明する。
【０１４３】
図２４は、ＡＴＭ交換機１００内で行われる動作を表すフローチャート図である。なお、以下の説明で、「抽出」は「読出」と同様の意味で用いられている。まず、接続変更先着信者端末が呼び出し状態であるとする（ステップ２４０１）。
【０１４４】
ここで、接続変更先着信者端末から応答が有るか無いかを判断する（ステップ２４０２）。
ステップ２４０２で、応答が有った場合、接続変更先着信者端末に対して接続処理を行う（ステップ２４０３）。
【０１４５】
ステップ２４０２で、応答が無かった場合、接続変更先着信者端末を呼び出してからの経過時間を求める（ステップ２４０４）。
ここで、ステップ２４０４で求めた経過時間が、不応答時間登録テーブル１１６に登録された不応答時間以上か否かを判断する（ステップ２４０５）。
【０１４６】
ステップ２４０５で、不応答時間未満と判断された場合には、ステップ２４０２に戻る。ステップ２４０５で、不応答時間と判断された場合には、呼制御テーブル１１１から転送元端末、即ち、接続先変更要求着信者端末の端末番号を抽出すると共に、帯域管理テーブル１１２の使用中帯域幅データを、転送元端末に設定されていた使用中帯域幅に変更する（ステップ２４０６）。
【０１４７】
そして、呼制御テーブル１１１の着信者端末番号データを、接続変更先着信者端末の端末番号から、接続先変更要求着信者端末の端末番号に変更する。また、呼制御テーブル１１１の転送元端末番号データとして、接続変更先着信者端末の端末番号を登録する（ステップ２４０７）。
【０１４８】
最後に、スイッチ部１０５に対し、接続先の変更を指示する（ステップ２４０８）。
次に、全体の動作について説明する。
【０１４９】
図２５は、全体の動作を表すシーケンス図である。
まず、発信者端末と接続先変更要求着信者端末とが接続中であるとする（ステップ２５０１）。
【０１５０】
ここで、接続先変更要求着信者端末は、接続先の変更指示を表す「接続先変更指示」メッセージをＡＴＭ交換機１００に送信する（ステップ２５０２）。
ＡＴＭ交換機１００は、接続先を切り換える処理を行う状態に入ることを表す「状態通知」メッセージを発信者端末に送信する（ステップ２５０３）。
【０１５１】
そして、ＡＴＭ交換機１００は、接続変更先着信者端末の使用中帯域を確認するとともに（ステップ２５０４）、接続先変更要求着信者端末の使用中帯域を解放する（ステップ２５０５）。そして、ＡＴＭ交換機１００は、接続変更先着信者端末用の帯域を確保する（ステップ２５０６）。
【０１５２】
その後、ＡＴＭ交換機１００は、接続変更先着信者端末に「接続要求」メッセージを送信する（ステップ２５０７）。
ここで、接続変更先着信者端末に「接続確認」メッセージを送信してから、即ち、不応答時間登録テーブル１１６に登録された不応答時間が経過しても接続変更先着信者端末から応答が無い場合、接続変更先着信者端末の使用中帯域を解放するとともに（ステップ２５０８）、接続先変更要求着信者端末用の帯域を確保する（ステップ２５０９）。
【０１５３】
その後、ＡＴＭ交換機１００は、接続変更先着信者端末に「切断要求」メッセージを送信する（ステップ２５１０）。
切断要求を受け付けた接続変更先着信者端末は、ＡＴＭ交換機１００に「切断確認」メッセージを送信する（ステップ２５１１）。
【０１５４】
次に、ＡＴＭ交換機１００は、接続先変更要求着信者端末に「接続要求」メッセージを送信する（ステップ２５１２）。
接続要求を受け付けた接続先変更要求着信者端末は、ＡＴＭ交換機１００に「接続確認」メッセージを送信する（ステップ２５１３）。
【０１５５】
次に、ＡＴＭ交換機１００は、発信者端末に「接続要求」メッセージを送信する（ステップ２５１４）。
接続要求を受け付けた発信者端末は、ＡＴＭ交換機１００に「接続確認」メッセージを送信する（ステップ２５１５）。
＜第８実施形態＞
第８実施形態は、第１実施形態〜第３実施形態と同様に構成されている。
【０１５６】
第８実施形態において、代理端末は、ＡＴＭ交換機１００に対し、補助記憶装置１０９を同報通信先として指示することができる。
ＡＴＭ交換機１００の制御装置１０６は、以下の１）〜３）の処理を行う。
【０１５７】
１）代理端末から、補助記憶装置１０９を同報通信先として指示された場合に、帯域管理テーブル１１２を参照して、補助記憶装置１０９との間の通信に必要な帯域が確保可能か否かを判断する。
【０１５８】
２）１）で帯域が確保可能な場合に、発信者端末と代理端末間の通信情報を補助記憶装置１０９に書き込む。
３）接続要求先着信者端末の帯域を定期的に監視し、その帯域に空きができたとき、補助記憶装置１０９に記憶された通信情報を接続要求先着信者端末に通知する。
【０１５９】
（第８実施形態で行われる動作）
次に、第８実施形態で行われる動作として、ＡＴＭ交換機１００内で行われる動作及び全体の動作について説明する。
【０１６０】
図２６は、ＡＴＭ交換機１００内で行われる動作を表すフローチャート図である。なお、以下の説明で、「抽出」は「読出」と同様の意味で用いられてる。
まず、代理端末は、補助記憶装置１０９を同報通信先として指示する（ステップ２６０１）。
【０１６１】
次に、補助記憶装置１０９の使用帯域を帯域管理テーブル１１２から抽出する（ステップ２６０２）。
そして、呼制御テーブル１１１に、同報通信先として補助記憶装置１０９を設定する（ステップ２６０３）。
【０１６２】
そして、スイッチ部１０５に対し、補助記憶装置１０９に対して同報通信を行うように接続変更を指示する（ステップ２６０４）。これにより、発信者端末と代理端末間の通信情報が、補助記憶装置１０９に書き込まれるようになる。
【０１６３】
そして、接続要求先着信者端末の帯域に空きができたら、補助記憶装置１０９に格納された通信情報を接続要求先着信者端末に通知する（ステップ２６０５）。これにより、代理端末から接続要求先着信者端末に情報を通知する必要がなくなる。
【０１６４】
次に、全体の動作について説明する。
図２７は、全体の動作を表すシーケンス図である。
まず、発信者端末と接続先変更要求着信者端末とが接続中であるとする（ステップ２７０１）。
【０１６５】
ここで、代理端末は、ＡＴＭ交換機１００に対し、補助記憶装置１０９を同報通信先として指示する（ステップ２７０２）。
ＡＴＭ交換機１００は、同報通信を行う状態に入ることを表す「状態通知」メッセージを発信者端末に送信する（ステップ２７０３）。
【０１６６】
そして、ＡＴＭ交換機１００は、同報通信先として補助記憶装置１０９を呼制御テーブル１１１に設定するとともに（ステップ２７０４）、補助記憶装置１０９の割当帯域を確認し（ステップ２７０５）、補助記憶装置１０９用の帯域を確保する（ステップ２７０６）。
【０１６７】
さらに、ＡＴＭ交換機１００は、補助記憶装置１０９に「接続要求」メッセージを送信する（ステップ２７０７）。
接続要求を受け付けた補助記憶装置１０９は、ＡＴＭ交換機１００に「接続確認」メッセージを送信する（ステップ２７０８）。
【０１６８】
また、ＡＴＭ交換機１００は、発信者端末に「接続要求」メッセージを送信する（ステップ２７０９）。
接続要求を受け付けた発信者端末は、ＡＴＭ交換機１００に「接続確認」メッセージを送信する（ステップ２７１０）。
【０１６９】
このような過程を経ることにより、発信者端末と補助記憶装置１０９とが接続する（ステップ２７１１）。ここで、発信者端末は、代理端末とも接続した状態にある（ステップ２７１２）。すなわち、発信者端末からみて、代理装置と補助記憶装置１０９に同報通信を行っていることになる。
【０１７０】
ここで、ＡＴＭ交換機１００は、代理端末に「切断要求」メッセージを送信する（ステップ２７１３）。
切断要求を受け付けた代理端末は、ＡＴＭ交換機１００に「切断確認」メッセージを送信する（ステップ２７１４）。
【０１７１】
また、ＡＴＭ交換機１００は、発信者端末に「切断要求」メッセージを送信する（ステップ２７１５）。
切断要求を受け付けた発信者端末は、ＡＴＭ交換機１００に「切断確認」メッセージを送信する（ステップ２７１６）。
【０１７２】
その後、ＡＴＭ交換機１００は、接続要求先着信者端末の空き帯域を監視する（ステップ２７１７）。
ステップ２７１７の監視の結果、帯域に空きができたら、ＡＴＭ交換機１００は、接続要求先着信者端末に「接続要求」メッセージを送信する（ステップ２７１８）。
【０１７３】
接続要求を受け付けた接続要求先着信者端末は、ＡＴＭ交換機１００に「接続確認」メッセージを送信する（ステップ２７１９）。
その後、ＡＴＭ交換機１００は、補助記憶装置１０９に記憶された通信情報を接続要求先着信者端末に通知する（ステップ２７２０）。
＜第９実施形態＞
第９実施形態は、第１実施形態に機能を付加して構成してある。図２８は、第９実施形態の構成図である。同図において、第１実施形態と同じ機能を有する構成要素には、図２と同一の番号を付してある。そして、図２と同一の番号を付した要素のうち、機能的に同一のものについては、その説明を省略する。
【０１７４】
（ＡＴＭ交換機１００）
第９実施形態において、ＡＴＭ交換機１００の記憶装置１１０は、データとして実現された、転送時刻登録テーブル１１７を記憶する。
【０１７５】
転送時刻登録テーブル１１７には、転送時間帯及び転送先が登録される。図２９は、転送時刻登録テーブル１１７のデータ構成を表している。同図に示すように、転送時刻登録テーブル１１７には、転送開始時刻、転送終了時刻及び転送先で構成される１組のデータが登録されている。そして、複数組のデータで１単位を構成する。１単位のデータは、端末番号を索引（インデックス）として検索される。
【０１７６】
ＡＴＭ交換機１００の制御装置１０６は、以下の１）〜２）の処理を行う。
１）着信先要求端末に対して帯域を確保できない場合、転送時刻登録テーブル１１７を参照する。
【０１７７】
２）転送時刻登録テーブル１１７に、転送時刻及び代理端末が登録されている場合に、転送時刻になったら代理端末に転送を行う。
（第９実施形態で行われる動作）
次に、第９実施形態で行われる動作として、ＡＴＭ交換機１００内で行われる動作及び全体の動作について説明する。
【０１７８】
図３０は、ＡＴＭ交換機１００内で行われる動作を表すフローチャート図である。なお、以下の説明で、「抽出」は「読出」と同様の意味で用いられてる。
まず、接続要求先着信者端末の使用中帯域を帯域管理テーブル１１２から抽出する（ステップ３００１）。
【０１７９】
ステップ３００１で抽出された使用中帯域から、接続要求先着信者端末が空いているか塞がっているかを判断する（ステップ３００２）。
ステップ３００２で、空いていると判断された場合には、接続要求先着信者端末に対して接続処理を行う。
【０１８０】
ステップ３００２で、塞がっていると判断された場合には、転送種別登録テーブル１１４から、帯域不足の要件を検索する（ステップ３００４）。
ステップ３００４で検索された結果から、帯域不足の要件が有るか無いかを判断する（ステップ３００５）。
【０１８１】
ステップ３００５で、帯域不足の要件が無いと判断された場合には、接続処理を中止する（ステップ３００７）。
ステップ３００５で、帯域不足の要件が有ると判断された場合には、現在の時刻が転送時刻の範囲外か範囲内かを判断する（ステップ３００６）。
【０１８２】
ステップ３００６で、現在の時刻が転送時刻の範囲外と判断された場合には、接続処理を中止する（ステップ３００７）。
ステップ３００６で、現在の時刻が転送時刻の範囲内と判断された場合には、代理端末登録第一テーブル１１３から、接続要求先着信者端末に対応した代理端末を抽出する（ステップ３００８）。
【０１８３】
そして、代理端末の帯域を帯域管理テーブル１１２から抽出する（ステップ３００９）。
ステップ３００９で抽出された帯域から、代理端末が空いてるか塞がっているかを判断する（ステップ３０１０）。
【０１８４】
ステップ３０１０で、塞がっていると判断された場合には、ステップ３００６に戻る。ステップ３０１０で、空いていると判断された場合には、呼制御テーブル１１１の着信先として代理端末を登録すると共に、代理端末に対して接続処理を行う（ステップ３０１１）。
【０１８５】
次に、全体の動作について説明する。
図３１は、全体の動作を表すシーケンス図である。
まず、発信者端末がＡＴＭ交換機１００に「接続要求」メッセージを送信する（ステップ３１０１）。
【０１８６】
接続要求を受け付けたＡＴＭ交換機１００は、以下の１）〜７）の処理を行う。１）接続要求先着信者端末の状態を確認する（ステップ３１０２）。
２）接続要求先着信者端末の使用中帯域を確認する（ステップ３１０３）。
３）ステップ３１０３で確認した使用中帯域から、接続要求先着信者端末へ着信不可と判断する（ステップ３１０４）。
４）代理端末への転送予約時間を確認する（ステップ３１０５）。
５）接続要求先着信者端末に対応する代理端末を確認する（ステップ３１０６）。
６）代理端末の状態を確認するとともに、代理端末との間で通信に必要な帯域を確保する（ステップ３１０７）。
７）転送予約時刻になったら、接続要求元発信者端末と代理端末との接続動作を行う（ステップ３１０８）。
【０１８７】
ステップ３０１８の接続動作が完了したら、ＡＴＭ交換機１００は、代理端末に「接続要求」メッセージを送信する（ステップ３１０９）。
接続要求を受け付けた代理端末は、ＡＴＭ交換機１００に「接続確認」メッセージを送信する（ステップ３１１０）。
【０１８８】
次に、ＡＴＭ交換機１００は、発信者端末に「接続要求」メッセージを送信する（ステップ３１１１）。
＜第１０実施形態＞
第１０実施形態は、第１実施形態〜第３実施形態と同様に構成されている。図３２は、第１実施形態と同様に構成した場合の構成図である。
【０１８９】
第１０実施形態において、接続状態の接続要求先着信者端末は、接続要求先着信者端末に対応する代理端末と接続要求元発信者端末との間に通信用パスを設定すると同時に、接続要求先着信者端末と代理端末との間にも通信用パスを設定することをＡＴＭ交換機１００に要求することができる。
【０１９０】
この要求を、以下、通信用パス設定要求という。通信用パス設定要求により、例えば、図３２に点線で示される通信パスが設定される。この例は、発信者端末Ｂとの間で接続状態にある着信者端末Ｅが、別の着信者端末として、着信者端末Ｆを指定した場合に相当する。
【０１９１】
ＡＴＭ交換機１００の制御装置１０６は、接続状態の接続要求先着信者端末から通信用パス設定要求を要求された場合に、以下の１）〜３）の処理を行う。
１）通信用パスを設定する代理端末を接続するに足りる帯域を確保できるか否かを、帯域管理テーブル１１２を参照して判断する。
【０１９２】
２）１）で、帯域を確保できないと判断した場合には、通信用パスを設定しない。
３）１）で、帯域を確保できると判断した場合には、通信用パスを設定する。
【０１９３】
（第１０実施形態で行われる動作）
次に、第１０実施形態で行われる動作として、ＡＴＭ交換機１００内で行われる動作及び全体の動作について説明する。
【０１９４】
図３３は、ＡＴＭ交換機１００内で行われる動作を表すフローチャート図である。なお、以下の説明で、「抽出」は「読出」と同様の意味で用いられてる。
まず、接続要求先着信者端末が通信パス設定をＡＴＭ交換機１００に要求する（ステップ３３０１）。
【０１９５】
通信パス設定要求を受け付けたＡＴＭ交換機１００の制御装置１０６は、接続要求先着信者端末に対応した代理端末を、代理端末登録第一テーブル１１３から検索する（ステップ３３０２）。
【０１９６】
ステップ３３０２での検索の結果、代理端末が未登録になっている場合（ステップ３３０３の「未登録」で示された経路）には、ステップ３３０１に戻る。
ステップ３３０２での検索の結果、代理端末が登録済になっている場合（ステップ３３０３の「登録済」で示された経路）には、接続要求元発信者端末と代理端末間の帯域を帯域管理テーブル１１２から抽出する（ステップ３３０４）。
【０１９７】
ステップ３３０３で抽出された帯域が塞がっていると判断された場合（ステップ３３０５の「塞がっている」で示された経路）には、ステップ３３０１に戻る。
【０１９８】
ステップ３３０３で抽出された帯域が空いていると判断された場合（ステップ３３０５の「空いている」で示された経路）には、接続要求先着信者端末と代理端末間の帯域を帯域管理テーブル１１２から抽出する（ステップ３３０６）。
【０１９９】
ステップ３３０６で抽出された帯域が塞がっていると判断された場合（ステップ３３０７の「塞がっている」で示された経路）には、ステップ３３０１に戻る。ステップ３３０６で抽出された帯域が空いていると判断された場合（ステップ３３０７の「空いている」で示された経路）には、接続要求元発信者端末と代理端末間に通信パスを設定する（ステップ３３０８）。
【０２００】
そして、接続要求先着信者端末と代理端末間に通信パスを設定する（ステップ３３０９）。
次に、全体の動作について説明する。
【０２０１】
図３４は、全体の動作を表すシーケンス図である。
まず、（接続要求元）発信者端末と接続要求先着信者端末が接続中になっている（ステップ３４０１）。
【０２０２】
ここで、接続要求先着信者端末は、ＡＴＭ交換機１００に通信パス設定を要求する（ステップ３４０２）。
ＡＴＭ交換機１００は、通信パス設定要求を受け付けた状態にあることを発信者端末に通知する（ステップ３４０３）。
【０２０３】
そして、ＡＴＭ交換機１００は、代理端末に対する帯域を確認するとともに（ステップ３４０４）、代理端末に対する帯域を確保する（ステップ３４０５）。更に、ＡＴＭ交換機１００は、代理端末との間で接続を行うよう、接続要求元発信者端末に要求する（ステップ３４０６）。
【０２０４】
接続要求を受け付けた接続要求元発信者端末は、ＡＴＭ交換機１００に「接続確認」メッセージをＡＴＭ交換機１００に送信する（ステップ３４０７）。
また、ＡＴＭ交換機１００は、（接続要求元）発信者端末との間で接続を行うよう、代理端末に要求する（ステップ３４０８）。
【０２０５】
接続要求を受け付けた代理端末は、ＡＴＭ交換機１００に「接続確認」メッセージをＡＴＭ交換機１００に送信する（ステップ３４０９）。
ここまでのシーケンスにより、（接続要求元）発信者端末と代理端末が接続中の状態になる（ステップ３４１０）。これと同時に、（接続要求元）発信者端末と接続要求先着信者端末とが接続中の状態になる（ステップ３４１１）。なお、図示していないが、接続要求先着信者端末と代理端末とが接続中の状態になる。
【０２０６】
【発明の効果】
第１から第１０のＡＴＭ交換機によれば、帯域管理データ部、代理端末未登録テーブル、及び接続先として指定された第２端末に接続できない場合に代理端末に接続する制御部を設けたことにより、指定した接続先の端末に接続できない場合でも、代理となる端末に接続することが可能となる。このことにより、発信側にとって、接続が拒否される機会が減少するとともに、待ち合わせが少なくなり、何度も接続を試みる操作も不要となる。
【図面の簡単な説明】
【図１】第１のＡＴＭ交換機に対応した原理構成図である。
【図２】第１実施形態の構成図である。
【図３】第１実施形態の呼制御テーブルのデータ構成図である。
【図４】第１実施形態の帯域管理テーブルのデータ構成図である。
【図５】第１実施形態の代理端末登録第一テーブルのデータ構成図である。
【図６】第１実施形態の転送種別登録テーブルのデータ構成図である。
【図７】第１実施形態のＡＴＭ交換機内で行われる動作を表すフローチャート図である。
【図８】第１実施形態の全体の動作を表すシーケンス図である。
【図９】第２実施形態の構成図である。
【図１０】第２実施形態のＡＴＭ交換機内で行われる動作を表すフローチャート図である。
【図１１】第２実施形態の全体の動作を表すシーケンス図である。
【図１２】第３実施形態の構成図である。
【図１３】第３実施形態の代理端末登録第二テーブルのデータ構成図である。
【図１４】第３実施形態のＡＴＭ交換機内で行われる動作を表すフローチャート図である。
【図１５】第３実施形態の全体の動作を表すシーケンス図である。
【図１６】第４実施形態のＡＴＭ交換機内で行われる動作を表すフローチャート図である。
【図１７】第４実施形態の全体の動作を表すシーケンス図である。
【図１８】第５実施形態のＡＴＭ交換機内で行われる動作を表すフローチャート図である。
【図１９】第５実施形態の全体の動作を表すシーケンス図である。
【図２０】第６実施形態のＡＴＭ交換機内で行われる動作を表すフローチャート図である。
【図２１】第６実施形態の全体の動作を表すシーケンス図である。
【図２２】第７実施形態の構成図である。
【図２３】第７実施形態の不応答時間登録テーブルのデータ構成図である。
【図２４】第７実施形態のＡＴＭ交換機内で行われる動作を表すフローチャート図である。
【図２５】第７実施形態の全体の動作を表すシーケンス図である。
【図２６】第８実施形態のＡＴＭ交換機内で行われる動作を表すフローチャート図である。
【図２７】第８実施形態の全体の動作を表すシーケンス図）である。
【図２８】第９実施形態の構成図である。
【図２９】第９実施形態の不応答時間登録テーブルのデータ構成図である。
【図３０】第９実施形態のＡＴＭ交換機内で行われる動作を表すフローチャート図である。
【図３１】第９実施形態の全体の動作を表すシーケンス図である。
【図３２】第１０実施形態の構成図である。
【図３３】第１０実施形態のＡＴＭ交換機内で行われる動作を表すフローチャート図である。
【図３４】第１０実施形態の全体の動作を表すシーケンス図である。
【符号の説明】
１１・・・・表示部
１２・・・・音声出力部
１３・・・・記録部
１００・・・ＡＴＭ交換機
１０４・・・第一回線制御部
１０５・・・スイッチ部
１０６・・・制御装置（制御部）
１０７・・・第二回線制御部
１０８・・・時計装置
１０９・・・補助記憶装置
１１０・・・記憶装置
１１１・・・呼制御テーブル
１１２・・・帯域管理テーブル
１１３・・・代理端末登録第一テーブル（代理端末登録テーブル）
１１４・・・転送種別登録テーブル
１１５・・・代理端末登録第二テーブル
１１７・・・転送時刻登録テーブル
２００・・・伝送路
３００・・・ネットワーク
【図１】
0003616682.tif 000002
【図２】
0003616682.tif 000003
【図３】
0003616682.tif 000004
【図４】
0003616682.tif 000005
【図５】
0003616682.tif 000006
【図６】
0003616682.tif 000007
【図７】
0003616682.tif 000008
【図８】
0003616682.tif 000009
【図９】
0003616682.tif 000010
【図１０】
0003616682.tif 000011
【図１１】
0003616682.tif 000012
【図１２】
0003616682.tif 000013
【図１３】
0003616682.tif 000014
【図１４】
0003616682.tif 000015
【図１５】
0003616682.tif 000016
【図１６】
0003616682.tif 000017
【図１７】
0003616682.tif 000018
【図１８】
0003616682.tif 000019
【図１９】
0003616682.tif 000020
【図２０】
0003616682.tif 000021
【図２１】
0003616682.tif 000022
【図２２】
0003616682.tif 000023
【図２３】
0003616682.tif 000024
【図２４】
0003616682.tif 000025
【図２５】
0003616682.tif 000026
【図２６】
0003616682.tif 000027
【図２７】
0003616682.tif 000028
【図２８】
0003616682.tif 000029
【図２９】
0003616682.tif 000030
【図３０】
0003616682.tif 000031
【図３１】
0003616682.tif 000032
【図３２】
0003616682.tif 000033
【図３３】
0003616682.tif 000034
【図３４】
0003616682.tif 000035